(57)【要約】【課題】低コストでの実現が可能であり、また停電時等でも電気製品の稼動状態を管理することができ、更に災害の防止にも役立つ電源管理通信装置を提供する。【解決手段】管理対象装置１が停止中であって、ＲＦＩＤタグ１６がパッシブ型として動作しているときには、電気製品管理サーバ４のリーダライター３から問い合わせ要求が送信され、ＲＦＩＤタグ１６が応答しても、この応答がリーダライター３で受信されず、記憶装置４２内のデータテーブルＤ２における管理対象装置１の稼動状態が変更されない。また、管理対象装置１が稼動中であって、ＲＦＩＤタグ１６がアクティブ型として動作しているときには、リーダライター３から問い合わせ要求が送信され、ＲＦＩＤタグ１６が応答すると、この応答がリーダライター３で受信され、記憶装置４２内のデータテーブルＤ２における管理対象装置１の稼動状態が稼動中に変更されて、稼動状態が更新される。【選択図】図１
2009302956.tif 000002
【特許請求の範囲】
【請求項１】
外部通信装置との間で無線通信を行う無線通信手段と、
外部電源から電力供給を受ける管理対象装置の外部電源使用状況を検出する使用状況検出手段と、
前記使用状況検出手段により検出された管理対象装置の外部電源使用状況に基づき、前記外部電源から前記無線通信手段への電力供給をオンオフする第１切り換え手段とを備えることを特徴とする電源管理通信装置。
【請求項２】
前記外部電源から前記管理対象装置への電力供給をオンオフする第２切り換え手段を備え、
前記無線通信手段は、前記外部通信装置からの指示に基づき、第２切り換え手段をオンオフすることを特徴とする請求項１に記載の電源管理通信装置。
【請求項３】
前記無線通信手段は、前記第１切り換え手段により前記外部電源から無線通信手段への電力供給がオフにされているときに、前記外部通信装置からの電波を受信すると、この電波を電力に変換して、この電力により動作することを特徴とする請求項１に記載の電源管理通信装置。
【請求項４】
前記外部電源から前記管理対象装置への電力供給をオンオフする第２切り換え手段を備え、
前記無線通信手段は、前記外部通信装置からの指示に基づき、第１及び第２切り換え手段をオフにして、外部電源から無線通信手段及び管理対象装置への電力供給を停止させ、このときに外部通信装置からの電波を受信すると、この電波を電力に変換して、この電力により動作し、無線通信により外部通信装置からの第２切り換え手段の切り換え指示を受けて、この指示に応答して第２切り換え手段をオンに切り換え、外部電源から管理対象装置への電力供給を再開することを特徴とする請求項１に記載の電源管理通信装置。
【請求項５】
電源管理通信装置と、電源管理通信装置との間で無線通信を行う外部通信装置とを備え、
前記電源管理通信装置は、外部電源から電力供給を受ける管理対象装置の外部電源使用状況を検出して、この検出した管理対象装置の外部電源使用状況に基づき、外部電源から該電源管理通信装置への電力供給をオンオフし、
前記外部通信装置は、無線通信による電源管理通信装置の応答の有無に基づき、管理対象装置の外部電源使用状況を管理することを特徴とする通信システム。
【発明の詳細な説明】
【技術分野】
【０００１】
本発明は、各種の電気製品等の電源管理を行うための電源管理通信装置及び通信システムに関する。
【背景技術】
【０００２】
一般に、電気製品の稼動状態を確認するときには、人が製品の設置場所まで行って、その稼動状態を調べているが、そのような確認方法は非効率的であって、また確認し間違いや確認漏れ等が生じ易い。
【０００３】
また、特許文献１では、電気製品が接続される電源プラグに無線タグを埋め込み、無線タグとの間で無線通信を行うリーダライターをコンセント等に設け、リーダライターにより電気製品の稼動状態はもとよりその識別情報や消費電力までも無線タグから読取って、この読取った情報をリーダライターから電力線搬送通信ネットワークを通じて管理サーバへと伝送し、電気製品の稼動状態等を管理サーバ側で一括管理している。また、ここでは、電源プラグをコンセントに挿し込んで、コンセントから電源プラグの無線タグへと電力を供給して、無線タグによる通信を可能にしている。
【特許文献１】特開２００６−２４５９８３号
【発明の開示】
【発明が解決しようとする課題】
【０００４】
しかしながら、特許文献１では、リーダライターにより無線タグから読取った情報を電力線搬送通信ネットワークを通じて管理サーバに伝送しているので、無線タグ及びリーダライターだけではなく、電力線搬送通信ネットワーク用のモデムが必要になり、低コストでの実現が困難であった。
【０００５】
また、電源プラグをコンセントに挿し込んだときに、コンセントから電源プラグの無線タグへと電力を供給して、無線タグによる無線通信を可能にしているので、電源プラグがコンセントから外れたり、停電になったときには、無線タグとリーダライター間の無線通信が不可能になり、電気製品の稼動状態を確認することができなくなった。
【０００６】
更に、地震等の緊急時の対応を考慮しておらず、緊急時の災害や二次災害を防止することができなかった。
【０００７】
そこで、本発明は、上記従来の問題点に鑑みなされたものであり、低コストでの実現が可能であり、また停電時等でも電気製品の稼動状態を管理することができ、更に災害の防止にも役立つ電源管理通信装置及び通信システムを提供することを目的とする。
【課題を解決するための手段】
【０００８】
上記課題を解決するために、本発明の電源管理通信装置は、外部通信装置との間で無線通信を行う無線通信手段と、外部電源から電力供給を受ける管理対象装置の外部電源使用状況を検出する使用状況検出手段と、前記使用状況検出手段により検出された管理対象装置の外部電源使用状況に基づき、前記外部電源から前記無線通信手段への電力供給をオンオフする第１切り換え手段とを備えている。
【０００９】
また、前記外部電源から前記管理対象装置への電力供給をオンオフする第２切り換え手段を備え、前記無線通信手段は、前記外部通信装置からの指示に基づき、第２切り換え手段をオンオフしている。
【００１０】
更に、前記無線通信手段は、前記第１切り換え手段により前記外部電源から無線通信手段への電力供給がオフにされているときに、前記外部通信装置からの電波を受信すると、この電波を電力に変換して、この電力により動作している。
【００１１】
また、前記外部電源から前記管理対象装置への電力供給をオンオフする第２切り換え手段を備え、前記無線通信手段は、前記外部通信装置からの指示に基づき、第１及び第２切り換え手段をオフにして、外部電源から無線通信手段及び管理対象装置への電力供給を停止させ、このときに外部通信装置からの電波を受信すると、この電波を電力に変換して、この電力により動作し、無線通信により外部通信装置からの第２切り換え手段の切り換え指示を受けて、この指示に応答して第２切り換え手段をオンに切り換え、外部電源から管理対象装置への電力供給を再開している。
【００１２】
一方、本発明の通信システムは、電源管理通信装置と、電源管理通信装置との間で無線通信を行う外部通信装置とを備え、前記電源管理通信装置は、外部電源から電力供給を受ける管理対象装置の外部電源使用状況を検出して、この検出した管理対象装置の外部電源使用状況に基づき、外部電源から該電源管理通信装置への電力供給をオンオフし、前記外部通信装置は、無線通信による電源管理通信装置の応答の有無に基づき、管理対象装置の外部電源使用状況を管理している。
【発明の効果】
【００１３】
このような構成の電源管理通信装置において、無線通信手段は、外部通信装置との間で無線通信を行うことができ、外部電源から第１切り換え手段を通じて電力供給を受ける。この第１切り換え手段は、使用状況検出手段により検出された管理対象装置の外部電源使用状況に基づきオンオフされ、外部電源の電力を無線通信手段に供給したり、この電力の供給を停止する。例えば、管理対象装置が外部電源から電力供給を受けている使用状況では、第１切り換え手段がオンにされ、外部電源の電力が無線通信手段に供給される。このとき、外部通信装置は、無線通信手段との間で無線通信を行うことができ、管理対象装置が外部電力の供給を受けている旨、つまり管理対象装置の稼動状態を確認することができる。また、管理対象装置が外部電源から電力供給を受けていない使用状況では、第１切り換え手段がオフにされ、外部電源の電力が無線通信手段に供給されない。このとき、外部通信装置は、無線通信手段との間で無線通信を行うことができず、管理対象装置が外部電力の供給を受けていない旨、つまり管理対象装置の停止状態を確認することができる。
【００１４】
例えば、無線通信手段及び外部通信装置として無線タグ及びリーダライターを適用することができ、他の電力線搬送通信ネットワーク等を必要とせず、低コストでの実現が可能である。
【００１５】
また、外部電源から管理対象装置への電力供給をオンオフする第２切り換え手段を設け、外部通信装置からの指示に基づき、無線通信手段により第２切り換え手段をオンオフしているので、外部通信装置により管理対象装置への電力供給のオンオフを制御することができる。例えば、地震等の緊急時に、管理対象装置への電力供給をオフにして、災害を未然に防止することができる。
【００１６】
更に、無線通信手段は、第１切り換え手段により外部電源から無線通信手段への電力供給がオフにされているときに、外部通信装置からの電波を受信すると、この電波を電力に変換して、この電力により動作する。従って、無線通信手段は、外部電源から電力供給を受けなくても、外部通信装置との間で無線通信を行うことができる。ただし、無線通信を行うことが可能な無線通信手段と外部通信装置間の離間距離は数ｃｍ程度である。このため、外部通信装置としてハンディタイプのものを用い、この外部通信装置を無線通信手段に近づけたときにだけ、無線通信手段と外部通信装置間の無線通信が可能となる。
【００１７】
また、無線通信手段は、外部通信装置からの指示に基づき、第１及び第２切り換え手段をオフにして、外部電源から無線通信手段及び管理対象装置への電力供給を停止させるようにしてもよい。この場合も、先に述べたように無線通信手段は、外部通信装置からの電波を電力に変換して、この電力により動作することが可能であるが、無線通信を行うことが可能な無線通信手段と外部通信装置間の離間距離が数ｃｍ程度となる。しかしながら、外部通信装置としてハンディタイプのものを用い、この外部通信装置を無線通信手段に近づけるようにすれば、無線通信手段と外部通信装置間の無線通信が可能となり、外部通信装置から無線通信手段に第２切り換え手段の切り換え指示を出して、第２切り換え手段をオンに切り換え、外部電源から管理対象装置への電力供給を再開することができる。
【００１８】
一方、本発明の通信システムは、上記本発明の電源管理通信装置及び外部通信装置とを備えているので、同様の作用効果を奏することができる。
【発明を実施するための最良の形態】
【００１９】
以下、本発明の実施形態を添付図面を参照して詳細に説明する。
【００２０】
図１は、本発明の通信システムの一実施形態を示すブロック図である。本実施形態の通信システムは、一般家庭、オフィス、工場等で用いられている種々の電気製品や電動機器等（以下、管理対処装置１と称する）の稼動状態を管理するためのものであり、管理対象装置１毎に設けられた電源管理通信装置２と、各電源管理通信装置２との間でリーダライター３を介して無線通信を行う設置型の電気製品管理サーバ４と、各電源管理通信装置２との間で無線通信を行うハンディ型の復旧用無線通信装置５とを備えている。
【００２１】
電源管理通信装置２は、管理対象装置１の電源プラグ１ａと電源コンセント６間に挿入接続され、電源コンセント６から管理対象装置１への電力供給をオンオフする。
【００２２】
また、電源管理通信装置２は、電源コンセント６に接続されたときに、電源コンセント６からの電力供給を受けて動作し、その通信エリアが広がって、遠隔の電気製品管理サーバ４との間で無線通信を行うことができる。
【００２３】
更に、電源管理通信装置２は、電源コンセント６から外されたり、停電になったときに、電源コンセント６からの電力供給を受けることはないが、電気製品管理サーバ４又は復旧用無線通信装置５からの電波を受信したときに、この電波入力を電力に変換し、この電力により動作する。ただし、その通信エリアは数ｃｍ程度と極めて狭くなる。このため、電源コンセント６からの電力供給を受けていない状態では、持ち運び可能なハンディ型の復旧用無線通信装置５が電源管理通信装置２に近づけられたときにだけ、電源管理通信装置２と復旧用無線通信装置５間の無線通信が可能となる。
【００２４】
次に、電源管理通信装置２、電気製品管理サーバ４、及び復旧用無線通信装置５の構成を説明する。
【００２５】
電源管理通信装置２は、電源コンセント６に挿入接続されるプラグ１１と、管理対象装置１の電源プラグ１ａが挿入接続されるコンセント１２と、プラグ１１とコンセント１２間を接続する電源ライン１３と、電源ライン１３に挿入されたスイッチ１４とを備えている。プラグ１１が電源コンセント６に接続されかつコンセント１２に管理対象装置１の電源プラグ１ａが接続されると、電源コンセント６→プラグ１１→スイッチ１４→コンセント１２→電源プラグ１ａ→管理対象装置１という管理対象装置１への電力供給経路が形成され、管理対象装置１の稼動が可能になる。
【００２６】
また、電源管理通信装置２は、電源ライン１３の電流を検出する電力供給オンオフ検出部１５と、ＲＦＩＤタグ１６と、電源ライン１３とＲＦＩＤタグ１６間に挿入された常開スイッチ１７とを備えている。管理対象装置１への電力供給経路が形成され、管理対象装置１が稼動していると、電源ライン１３に電流が流れるので、電力供給オンオフ検出部１５は、電源ライン１３の電流を検出し、常開スイッチ１７をオンにする。このとき、電源ライン１３→常開スイッチ１７→ＲＦＩＤタグ１６というＲＦＩＤタグ１６への電力供給経路が形成され、ＲＦＩＤタグ１６が電源ライン１３からの電力供給を受けてアクティブ型として動作し、ＲＦＩＤタグ１６の通信エリアが数十ｍ以上に広がり、ＲＦＩＤタグ１６と遠隔の電気製品管理サーバ４間の無線通信が可能になる。
【００２７】
プラグ１１が電源コンセント６から外されたり、電源プラグ１ａがコンセント１２から外されたり、管理対象装置１が停止中であったり、停電になると、電源ライン１３に電流が流れなくなる。このとき、電力供給オンオフ検出部１５は、電源ライン１３の電流を検出することができず、常開スイッチ１７をオフにする。このため、電源ライン１３からＲＦＩＤタグ１６への電力供給経路が形成されず、ＲＦＩＤタグ１６が電源ライン１３からの電力供給を受けられずにパッシブ型として動作し、ＲＦＩＤタグ１６の通信エリアが数ｃｍ程度まで狭くなり、移動可能なハンディ型の復旧用無線通信装置５が電源管理通信装置２に近づけられたときにだけ、ＲＦＩＤタグ１６と復旧用無線通信装置５間の無線通信が可能となる。
【００２８】
図２は、電力供給オンオフ検出部１５の構成を示すブロック図である。この電力供給オンオフ検出部１５では、電源ライン１３の交流電力をＡＣ／ＤＣ変換回路３１に取り込んで、この交流電力を直流電力に変換し、この直流電力をＲＦＩＤタグ電源生成回路３２に加え、ここでＲＦＩＤタグ１６の供給電力を生成し、供給電力をＲＦＩＤタグ電源生成回路３２から常開スイッチ１７に加えている。また、電源ライン１３の交流電流に伴う磁界の変化をトランス式交流センサ３３で検出し、トランス式交流センサ３３の検出出力を交流電流検出回路３４に加えて、ここで電源ライン１３により電力供給がなされているか否かを検出し、電力供給がなされているときにだけ、交流電流検出回路３４により常開スイッチ１７をオンにしている。従って、電源ライン１３により電力供給がなされ、管理対象装置１が稼動しているときには、常開スイッチ１７がオンになって、ＲＦＩＤタグ１６が電源ライン１３からの電力供給を受けてアクティブ型として動作する。また、電源ライン１３により電力供給がなされず、管理対象装置１が停止中のときには、常開スイッチ１７がオフになって、ＲＦＩＤタグ１６が電源ライン１３からの電力供給を受けることができずにパッシブ型として動作する。
【００２９】
図１に示すようにＲＦＩＤタグ１６は、アンテナ２１と、送受信部２２と、制御部２３と、情報記憶部２３ａと、ＲＦ電源部２５とを備えている。管理対象装置１の稼動により電源ライン１３に電流が流れ、電力供給オンオフ検出部１５により電源ライン１３の電流が検出されて、常開スイッチ１７がオンにされると、電源ライン１３からＲＦ電源部２５へと電力が供給され、ＲＦ電源部２５から送受信部２２や制御部２３等に電力が供給され、ＲＦＩＤタグ１６がアクティブ型として動作する。管理対象装置１の停止等により電源ライン１３に電流が流れず、電力供給オンオフ検出部１５により常開スイッチ１７がオフにされると、電源ライン１３からの電力がＲＦ電源部２５に供給されない。このとき、アンテナ２１で電波が受信されてＲＦ電源部２５に入力され、この電波入力がＲＦ電源部２５で電力に変換され、この電力により送受信部２２や制御部２３等が動作し、ＲＦＩＤタグ１６がパッシブ型として動作する。
【００３０】
図３は、そのようにアクティブ型及びパッシブ型のいずれとしても作動するＲＦＩＤタグ１６の回路構成を示すブロック図である。このＲＦ電源部２５では、電源ライン１３からの供給電力をダイオード３５を介して電源安定回路３６に入力し、電源安定回路３６で安定化された電力を送受信部２２や制御部２３等に供給する。また、アンテナ２１からの受信入力を電流整流回路３７、電源回路３８、及びダイオード３９を介して電源安定回路３６に入力し、電源安定回路３６で安定化された電力を送受信部２２や制御部２３等に供給する。これにより、送受信部２２や制御部２３等が動作する。
【００３１】
図１において、電気製品管理サーバ４にはリーダライター３が付設されており、電気製品管理サーバ４がリーダライター３を通じて電源管理通信装置２のＲＦＩＤタグ１６との間で無線通信を行う。この電気製品管理サーバ４は、例えばコンピュータからなり、種々のプログラムを実行して、多様な処理を行う制御部４１と、各種のデータを記憶管理するための記憶装置４２と、制御部４１のワーキングエリアとして用いられるＲＡＭ４３と、各種のプログラムを記憶したＲＯＭ４４と、キーボードやマウス等からなる入力装置４５と、表示装置４６と、表示装置４６を制御する表示制御部４７と、リーダライター３のインターフェース部４８と、電気製品管理サーバ４全体の電力を供給する電源部４９とを備えている。また、電気製品管理サーバ４は、ネットワークＮを通じてデータ通信を行うことができる。
【００３２】
リーダライター３は、アンテナ５１と、送受信部５２と、ＲＦＩＤ制御部５３とを備えており、電気製品管理サーバ４により制御されつつ、複数の電源管理通信装置２のＲＦＩＤタグ１６との間で無線通信を行う。
【００３３】
復旧用無線通信装置５は、持ち運び可能なハンディ型のものであり、種々のプログラムを実行して、多様な処理を行う制御部６１と、各種のデータを記憶管理するための記憶装置６２と、制御部６１のワーキングエリアとして用いられるＲＡＭ６３と、各種のプログラムを記憶したＲＯＭ６４と、キーボード等からなる入力装置６５と、リーダライター６６と、リーダライター６６のインターフェース部６７と、復旧用無線通信装置５全体の電力を供給する電源部６８とを備えている。従って、復旧用無線通信装置５は、リーダライター６６を内蔵している。リーダライター６６は、アンテナ７１と、送受信部７２と、ＲＦＩＤ制御部７３とを備えており、複数の電源管理通信装置２のＲＦＩＤタグ１６との間で無線通信を行う。
【００３４】
次に、電源管理通信装置２、電気製品管理サーバ４、及び復旧用無線通信装置５の基本動作を説明する。
【００３５】
まず、電源管理通信装置２のＲＦＩＤタグ１６は、タグＩＤと製品名を与えられており、図４（ａ）、（ｂ）、（ｃ）に示すようにそれらを対応付けたデータテーブルＤ１を情報記憶部２３ａに記憶している。タグＩＤは、ＲＦＩＤタグ１６の初期データとして予め設定されたものである。また、製品名は、管理対象装置１が電源管理通信装置２を通じて電源コンセント６に接続され、電源管理通信装置２のＲＦＩＤタグ１６がアクティブ型として動作しているときに、電気製品管理サーバ４からリーダライター３を通じてＲＦＩＤタグ１６の情報記憶部２３ａに書き込まれ記憶されたものである。図４（ａ）、（ｂ）、（ｃ）には、３台の電源管理通信装置２のＲＦＩＤタグ１６の情報記憶部２３ａに記憶されているそれぞれのデータテーブルＤ１が示されている。
【００３６】
また、電気製品管理サーバ４の記憶装置４２には、図５に示すような各電源管理通信装置２のＲＦＩＤタグ１６に与えられたタグＩＤ、製品名、及び管理対象装置１の稼動状態を対応付けたデータテーブルＤ２が記憶されている。図５のデータテーブルＤ２には、複数組のタグＩＤ、製品名、及び稼動状態が対応付けられて記憶されている。ＲＦＩＤタグ１６のタグＩＤは、電気製品管理サーバ４とＲＦＩＤタグ１６間の無線通信により取得されて記憶装置４２に記憶される。管理対象装置１の稼動状態は、電気製品管理サーバ４とＲＦＩＤタグ１６間の無線通信により取得されて記憶装置４２に記憶される。稼動状態としては、稼動中、停止中がある。また、製品名は、電気製品管理サーバ４の入力装置４５の入力操作により設定されて記憶装置４２に記憶される。
【００３７】
ここで、図６に示すように管理対象装置１が停止中であって、電源管理通信装置２の電源ライン１３に電流が流れていないときには、電力供給オンオフ検出部１５により電源ライン１３の電流が検出されず、常開スイッチ１７がオフにされる。このため、ＲＦＩＤタグ１６がパッシブ型として動作し、ＲＦＩＤタグ１６の通信エリアが数ｃｍ程度まで狭くなる。
【００３８】
この状態で、図７のタイミングチャートに示すように電気製品管理サーバ４の制御部４１がタグＩＤの問い合わせ要求を出すと（ステップＴＳ１０１）、この問い合わせ要求がインターフェース部４８を通じてリーダライター３に出力される。リーダライター３では、この問い合わせ要求をＲＦＩＤ制御部５３を通じて送受信部５２に入力し、この問い合わせ要求をアンテナ５１から電源管理通信装置２に送信する。
【００３９】
電源管理通信装置２のＲＦＩＤタグ１６は、パッシブ型として動作していることから、アンテナ２１の受信入力をＲＦ電源部２５で電力に変換しつつ、リーダライター３からのタグＩＤの問い合わせ要求を送受信部２２で受信し、この問い合わせ要求を制御部２３に入力する。この要求に応答して制御部２３は、情報記憶部２３ａ内のデータテーブルＤ２のタグＩＤを送受信部２２を通じてアンテナ２１から送信させる（ステップＴＳ１０２）。
【００４０】
ところが、パッシブ型のＲＦＩＤタグ１６の通信エリアが狭いことから、このＲＦＩＤタグ１６から送信された電波が電気製品管理サーバ４のリーダライター３で受信されることはない。このため、電気製品管理サーバ４は、電源管理通信装置２からの応答が無いものとみなし、記憶装置４２内のデータテーブルＤ２における管理対象装置１の稼動状態を変更せず、管理対象装置１の稼動状態が停止中であれば、これを維持する（ステップＴＳ１０３）。
【００４１】
また、図８に示すように管理対象装置１が稼動中であって、電源管理通信装置２の電源ライン１３に電流が流れているときには、電力供給オンオフ検出部１５により電源ライン１３の電流が検出され、常開スイッチ１７がオンにされる。このため、ＲＦＩＤタグ１６がアクティブ型として動作し、ＲＦＩＤタグ１６の通信エリアが広くなる。
【００４２】
この状態で、図９のタイミングチャートに示すように電気製品管理サーバ４の制御部４１がタグＩＤの問い合わせ要求を出すと（ステップＴＳ１１１）、この問い合わせ要求がインターフェース部４８を通じてリーダライター３に出力される。リーダライター３は、この問い合わせ要求を電源管理通信装置２に送信する。
【００４３】
電源管理通信装置２のＲＦＩＤタグ１６は、リーダライター３からのタグＩＤの問い合わせ要求を送受信部２２で受信し、この問い合わせ要求を制御部２３に入力する。この問い合わせ要求に応答して制御部２３は、情報記憶部２３ａ内のデータテーブルＤ２のタグＩＤを送受信部２２を通じてアンテナ２１から送信する（ステップＴＳ１１２）。
【００４４】
このとき、アクティブ型のＲＦＩＤタグ１６の通信エリアが広いため、このＲＦＩＤタグ１６から送信された電波が電気製品管理サーバ４のリーダライター３のアンテナ５１で受信される。リーダライター３では、電源管理通信装置２のＲＦＩＤタグ１６のタグＩＤを送受信部５２で受信し、このタグＩＤをＲＦＩＤ制御部５３から電気製品管理サーバ４に出力する。電気製品管理サーバ４では、このＲＦＩＤタグ１６のタグＩＤをインターフェース部４８を通じて制御部４１に入力する。制御部４１は、このＲＦＩＤタグ１６のタグＩＤを受信したことから、管理対象装置１が稼動中であって、ＲＦＩＤタグ１６がアクティブ型として動作しているとみなし、この受信したタグＩＤを記憶装置４２内のデータテーブルＤ２から検索し、データテーブルＤ２における該タグＩＤに対応する稼動状態を稼動中に書き換えて、この稼動状態を更新する（ステップＴＳ１１３）。
【００４５】
従って、管理対象装置１が停止中であって、ＲＦＩＤタグ１６がパッシブ型として動作しているときには、電気製品管理サーバ４のリーダライター３からＲＦＩＤタグ１６のＩＤの問い合わせ要求が送信され、ＲＦＩＤタグ１６が応答しても、この応答が電気製品管理サーバ４のリーダライター３で受信されず、このために記憶装置４２内のデータテーブルＤ２における管理対象装置１の稼動状態が変更されず、管理対象装置１の稼動状態が停止中であれば、これが維持される。また、管理対象装置１が稼動中であって、ＲＦＩＤタグ１６がアクティブ型として動作しているときには、電気製品管理サーバ４のリーダライター３からＲＦＩＤタグ１６のＩＤの問い合わせ要求が送信され、ＲＦＩＤタグ１６が応答すると、この応答が電気製品管理サーバ４のリーダライター３で受信され、記憶装置４２内のデータテーブルＤ２における管理対象装置１の稼動状態が稼動中に変更されて、稼動状態が更新される。
【００４６】
次に、図８に示すように管理対象装置１が稼動中であって、ＲＦＩＤタグ１６がアクティブ型として動作している状態で、図１０のタイミングチャートに示すように電気製品管理サーバ４がネットワークＮを通じて地震発生直前の通報を受けたものとする（ステップＴＳ１２１）。電気製品管理サーバ４の制御部４１は、地震発生直前の通報を受けると、電源ライン１３の遮断要求をインターフェース部４８を通じてリーダライター３に出力する。リーダライター３では、電源ライン１３の遮断要求をＲＦＩＤ制御部５３を通じて送受信部５２に入力し、この遮断要求をアンテナ５１から電源管理通信装置２に送信する（ステップＴＳ１２２）。また、制御部４１は、記憶装置４２内のデータテーブルＤ２におけるタグＩＤに対応するそれぞれの稼動状態を停止中に書き換える（ステップＴＳ１２３）。
【００４７】
電源管理通信装置２のＲＦＩＤタグ１６では、リーダライター３からの電源ライン１３の遮断要求を送受信部２２で受信し、この遮断要求を制御部２３に入力する。この遮断要求に応答して制御部２３は、電源ライン１３のスイッチ１４をオフにして、電源ライン１３を遮断する。これにより、図１１に示すようにコンセント６からの電力が電源ライン１３を通じてＲＦＩＤタグ１６及び管理対象装置１に供給されなくなり、管理対象装置１が停止中となる（ステップＴＳ１２４、ＴＳ１２５）。
【００４８】
従って、緊急時には、電源ライン１３の遮断要求が電気製品管理サーバ４からリーダライター３を通じてＲＦＩＤタグ１６に送信され、ＲＦＩＤタグ１６の電源ライン１３が遮断されて、管理対象装置１が停止中となる。これにより、全ての管理対象装置１を停止させることができる。このとき、全てのＲＦＩＤタグ１６は、パッシブ型として動作し、それらの通信エリアが狭くなる。
【００４９】
引き続いて、図１２のタイミングチャートに示すように管理対象装置１の復旧入力指示に応答して、電気製品管理サーバ４がタグＩＤの問い合わせ要求を出すと（ステップＳ１３１）、この問い合わせ要求がリーダライター３から全ての電源管理通信装置２に送信される。
【００５０】
ところが、全ての電源管理通信装置２のＲＦＩＤタグ１６は、パッシブ型として動作していることから、リーダライター３からのタグＩＤの問い合わせ要求を受信して、自己のタグＩＤを送信しても（ステップＴＳ１３２）、このタグＩＤが電気製品管理サーバ４のリーダライター３で受信されることはない。このため、電気製品管理サーバ４は、全ての電源管理通信装置２からの応答が無いものとみなし、記憶装置４２内のデータテーブルＤ２における管理対象装置１の稼動状態を変更せず、管理対象装置１の稼動状態の停止中を維持する。
【００５１】
従って、緊急時に全てのＲＦＩＤタグ１６及び電源管理通信装置２が停止中になった後に、問い合わせ要求が電気製品管理サーバ４からリーダライター３を通じて全てのＲＦＩＤタグ１６に送信されても、電気製品管理サーバ４のリーダライター３ではいずれのＲＦＩＤタグ１６の応答も受信されず、電気製品管理サーバ４によりいずれの電源管理通信装置２も制御することができず、管理対象装置１を停止中から稼動中に切り換えることもできない。これにより、緊急時に停止された管理対象装置１が未確認のまま、その動作が再開される可能性がなくなり、二次災害等が防止される。
【００５２】
一方、図１３に示すようにハンディ型の復旧用無線通信装置５が電源管理通信装置２に近づけられ、この状態で、図１２のタイミングチャートに示すように復旧用無線通信装置５の入力装置６５が操作され、制御部６１がタグＩＤの問い合わせ要求を出すと（ステップＴＳ１４１）、この問い合わせ要求がインターフェース部６７を通じてリーダライター６６に出力される。リーダライター６６では、この問い合わせ要求をＲＦＩＤ制御部７３を通じて送受信部７２に入力し、この問い合わせ要求をアンテナ７１から電源管理通信装置２に送信する。
【００５３】
電源管理通信装置２のＲＦＩＤタグ１６は、パッシブ型として動作していることから、アンテナ２１の受信入力をＲＦ電源部２５で電力に変換しつつ、リーダライター６６からのタグＩＤの問い合わせ要求を送受信部２２で受信し、この問い合わせ要求を制御部２３に入力する。この要求に応答して制御部２３は、情報記憶部２３ａ内のデータテーブルＤ２のタグＩＤを送受信部２２を通じてアンテナ２１から送信する（ステップＴＳ１４２）。
【００５４】
復旧用無線通信装置５では、電源管理通信装置２に近づけられていることから、電源管理通信装置２のＲＦＩＤタグ１６から送信された電波をリーダライター６６のアンテナ７１で受信して、このＲＦＩＤタグ１６のタグＩＤを取得することができ、このＲＦＩＤタグ１６のタグＩＤをインターフェース部６７を通じて制御部６１に入力する。制御部６１は、このＲＦＩＤタグ１６のタグＩＤの受信に応答して、電源ライン１３の復旧要求を出し、この電源ライン１３の復旧要求をインターフェース部６７及びリーダライター６６を通じて送信する（ステップＴＳ１４３）。
【００５５】
電源管理通信装置２のＲＦＩＤタグ１６では、リーダライター６６からの電源ライン１３の復旧要求を送受信部２２で受信し、この復旧要求を制御部２３に入力する。この復旧要求に応答して制御部２３は、電源ライン１３のスイッチ１４をオンにして、電源ライン１３を導通させる。これにより、コンセント６からの電力が電源ライン１３を通じてＲＦＩＤタグ１６及び管理対象装置１に供給され、ＲＦＩＤタグ１６がアクティブ型として動作し、管理対象装置１の稼動が可能となる（ステップＴＳ１４４、ＴＳ１４５）。
【００５６】
従って、緊急時に全てのＲＦＩＤタグ１６及び管理対象装置１が停止中になった後に、ハンディ型の復旧用無線通信装置５が電源管理通信装置２に近づけられた状態で、問い合わせ要求が復旧用無線通信装置５から近くの電源管理通信装置２のＲＦＩＤタグ１６に送信されると、この近くのＲＦＩＤタグ１６が応答して、この応答が復旧用無線通信装置５で受信され、電源ライン１３の復旧要求が復旧用無線通信装置５から近くの電源管理通信装置２のＲＦＩＤタグ１６へと送信され、この近くの電源管理通信装置２の電源ライン１３が復旧して導通し、ＲＦＩＤタグ１６がアクティブ型として動作し、管理対象装置１の稼動が可能となる。このとき、利用者は、ハンディ型の復旧用無線通信装置５を電源管理通信装置２の近くまで持ち運ぶ必要があるので、管理対象装置１の状態を確認してから、管理対象装置１の稼動を可能にすることができる。例えば、管理対象装置１が加熱調理器等である場合は、その状態を確認してから、その稼動を可能にすることにより、二次災害等を防止することができる。
【００５７】
次に、電気製品管理サーバ４、復旧用無線通信装置５、及び電源管理通信装置２別に、それぞれの動作手順をフローチャートを参照しつつ整理して説明する。
【００５８】
まず、図１４のフローチャートを参照しつつ、複数の管理対象装置１の稼動状態を確認するための電気製品管理サーバ４の動作手順を説明する。
【００５９】
電気製品管理サーバ４において、制御部４１は、記憶装置４２内のデータテーブルＤ２における全てのタグＩＤに対応するそれぞれの稼動状態を停止中に書き換える（ステップＦＳ２０１）。
【００６０】
そして、制御部４１は、記憶装置４２内のデータテーブルＤ２を参照して、１つのタグＩＤを選択し、このタグＩＤの問い合わせ要求をリーダライター３から送信させる（ステップＦＳ２０２）。
【００６１】
全ての電源管理通信装置２のＲＦＩＤタグ１６は、このタグＩＤの問い合わせ要求を受信し、このタグＩＤの問い合わせ要求を制御部２３に入力する。制御部２３は、この問い合わせ要求と共に受信したタグＩＤを自己の情報記録部２３ａ内のデータテーブルＤ１のタグＩＤと比較し、両者が一致するか否かを判定し、両者が一致しなければ、この問い合わせ要求に応答せず、また両者が一致すれば、この問い合わせ要求に応答する。全てのＲＦＩＤタグ１６のタグＩＤのいずれか１つが問い合わせ要求のタグＩＤに一致することから、１つのＲＦＩＤタグ１６だけが問い合わせ要求に応答することになる。
【００６２】
このとき、管理対象装置１が稼動中であって、ＲＦＩＤタグ１６がアクティブ型として動作しているときには、ＲＦＩＤタグ１６が応答すると、この応答が電気製品管理サーバ４のリーダライター３で受信される（ステップＦＳ２０３で「Ｙｅｓ」）。この場合、電気製品管理サーバ４の制御部４１は、記憶装置４２内のデータテーブルＤ２を参照して、問い合わせ要求のタグＩＤを検索し、このタグＩＤに対応する稼動状態を停止中から稼動中に書き換える（ステップＦＳ２０４）。この後、制御部４１は、記憶装置４２内のデータテーブルＤ２における全てのタグＩＤの問い合わせ要求を出したか否かを確認し、全てのタグＩＤの問い合わせ要求を出していなければ、つまり問い合わせ要求を出していないタグＩＤが残っていれば（ステップＦＳ２０５で「Ｎｏ」）、記憶装置４２内のデータテーブルＤ２を参照して、次のタグＩＤを選択し（ステップＦＳ２０６）、ステップＦＳ２０２に戻って、このタグＩＤの問い合わせ要求をリーダライター３から送信させる。
【００６３】
また、管理対象装置１が停止中であって、ＲＦＩＤタグ１６がパッシブ型として動作しているときには、ＲＦＩＤタグ１６が応答しても、この応答が電気製品管理サーバ４のリーダライター３で受信されない（ステップＦＳ２０３で「Ｎｏ」）。この場合、ステップＦＳ２０４が省略されて、データテーブルＤ２において問い合わせ要求のタグＩＤに対応する稼動状態が停止中のまま維持される。そして、記憶装置４２内のデータテーブルＤ２における全てのタグＩＤの問い合わせ要求を出したか否かが確認され、全てのタグＩＤの問い合わせ要求が出されていなければ（ステップＦＳ２０５で「Ｎｏ」）、記憶装置４２内のデータテーブルＤ２が参照されて、次のタグＩＤが選択され（ステップＦＳ２０６）、ステップＦＳ２０２に戻る。
【００６４】
以降同様に、電気製品管理サーバ４側で全てのタグＩＤが順次選択されて、選択されたタグＩＤの問い合わせ要求が電気製品管理サーバ４のリーダライター３から全ての電源管理装置のＲＦＩＤタグ１６に送信され、選択されたタグＩＤのＲＦＩＤタグ１６だけが応答する。そして、このＲＦＩＤタグ１６の管理対象装置１が稼動中であって、ＲＦＩＤタグ１６がアクティブ型として動作していれば、このＲＦＩＤタグ１６の応答が電気製品管理サーバ４のリーダライター３で受信されて、記憶装置４２内のデータテーブルＤ２における該タグＩＤに対応する稼動状態が停止中から稼動中に書き換えられ、またＲＦＩＤタグ１６の管理対象装置１が停止中であって、ＲＦＩＤタグ１６がパッシブ型として動作していれば、このＲＦＩＤタグ１６の応答が電気製品管理サーバ４のリーダライター３で受信されず、データテーブルＤ２における該タグＩＤに対応する稼動状態が停止中のまま維持される。これにより、電気製品管理サーバ４の記憶装置４２内のデータテーブルＤ２における全てのＩＤタグに対応するそれぞれの稼動状態が確認され、これらの稼動状態が適宜に書き換えられる。
【００６５】
そして、記憶装置４２内のデータテーブルＤ２における全てのタグＩＤの問い合わせ要求が出されたならば（ステップＦＳ２０５で「Ｙｅｓ」）、図１４の処理が終了となる。
【００６６】
図１５のフローチャートは、複数の管理対象装置１の稼動状態を確認するための電気製品管理サーバ４の他の動作手順を示している。
【００６７】
ここでは、電気製品管理サーバ４から全ての電源管理装置のＲＦＩＤタグ１６へと問い合わせ要求を一括して出し、全ての電源管理装置のＲＦＩＤタグ１６が順次応答している。まず、電気製品管理サーバ４において、制御部４１は、記憶装置４２内のデータテーブルＤ２における全てのタグＩＤに対応するそれぞれの稼動状態を停止中に書き換え（ステップＦＳ２１１）、全ての電源管理装置のＲＦＩＤタグ１６を対象とする問い合わせ要求をリーダライター３から送信させる（ステップＦＳ２１２）。
【００６８】
全ての電源管理通信装置２のＲＦＩＤタグ１６は、この問い合わせ要求を受信して、この問い合わせ要求を制御部２３に入力する。制御部２３は、この問い合わせ要求に応答して自己の情報記録部２３ａ内のデータテーブルＤ１からタグＩＤを読み出し、このタグＩＤを電気製品管理サーバ４に送信する。このとき、電気製品管理サーバ４及び各ＲＦＩＤタグ１６間の通信プロトコルに従って、全ての電源管理通信装置２のＲＦＩＤタグ１６がそれぞれのタグＩＤを順次送信し、電気製品管理サーバ４が全てのタグＩＤを順次受信する。
【００６９】
このとき、管理対象装置１が稼動中であって、ＲＦＩＤタグ１６がアクティブ型として動作しているときには、ＲＦＩＤタグ１６の応答が電気製品管理サーバ４のリーダライター３で受信される。また、管理対象装置１が停止中であって、ＲＦＩＤタグ１６がパッシブ型として動作しているときには、ＲＦＩＤタグ１６の応答が電気製品管理サーバ４のリーダライター３で受信されない。従って、稼動中の管理対象装置１のＲＦＩＤタグ１６の応答だけが電気製品管理サーバ４で受信されることになる。
【００７０】
電気製品管理サーバ４の制御部４１は、問い合わせ要求を送信してから一定時間を待機し、この待機中にタグＩＤを受信することができなければ（ステップＦＳ２１３で「Ｎｏ」）、図１５の処理を終了する。
【００７１】
また、制御部４１は、少なくとも１つの稼動中の管理対象装置１があって、少なくとも１つのＲＦＩＤタグ１６のタグＩＤを受信したならば（ステップＦＳ２１３で「Ｙｅｓ」）、全ての受信したタグＩＤをＲＡＭ４３等に一時的に記憶して、ステップＦＳ２１４以降の処理に移る。この場合、制御部４１は、全ての受信したタグＩＤについての処理を終了していないことを確認してから（ステップＦＳ２１４で「Ｎｏ」）、全ての受信したタグＩＤのうちの１つを選択し（ステップＦＳ２１５）、記憶装置４２内のデータテーブルＤ２を参照して、この選択したタグＩＤを検索し（ステップＦＳ２１６で「Ｙｅｓ」）、このタグＩＤに対応する稼動状態を停止中から稼動中に書き換える（ステップＦＳ２１７）。また、制御部４１は、選択したタグＩＤを検索することができなければ（ステップＦＳ２１６で「Ｎｏ」）、新たな管理対象装置１及び電源管理装置２が追加されて、新たなＲＦＩＤタグ１６のタグＩＤが発生したものとみなし、この新たなタグＩＤを記憶装置４２内のデータテーブルＤ２に追加し（ステップＦＳ２１８）、この新たなタグＩＤに対応する稼動状態を稼動中とする（ステップＦＳ２１７）。
【００７２】
以降、ステップＦＳ２１４〜ＦＳ２１８を繰り返して、記憶装置４２内のデータテーブルＤ２における全ての受信したタグＩＤに対応する稼動状態を停止中から稼動中に書き換える。そして、全ての受信したタグＩＤについての処理を終了したならば（ステップＦＳ２１４で「Ｙｅｓ」）、図１５の処理を終了する。
【００７３】
このように全てのタグＩＤ及び製品名に対応する稼動状態が停止中に一旦書き換えられ、稼動中の管理対象装置１のＲＦＩＤタグ１６の応答だけが電気製品管理サーバ４で受信されて、受信されたタグＩＤに対応する稼動状態が停止中から稼動中に書き換えられるので、全ての管理対象装置１の稼動状態がデータテーブルＤ２に記録されることになる。また、新たな管理対象装置１及び電源管理装置２が追加されたときには、新たなＲＦＩＤタグ１６のタグＩＤが受信され、この新たなタグＩＤが記憶装置４２内のデータテーブルＤ２に追加される。
【００７４】
引き続いて、図１６のフローチャートを参照しつつ、緊急時に、電源ライン１３の遮断要求をＲＦＩＤタグ１６に送信するための電気製品管理サーバ４の動作手順を説明する。
【００７５】
電気製品管理サーバ４において、制御部４１は、例えば地震発生直前の通報をネットワークＮを通じて受信することができ、この地震発生直前の通報を受けると（ステップＦＳ２２１で「Ｙｅｓ」）、記憶装置４２内のデータテーブルＤ２を参照して、稼動中に対応するタグＩＤを検索する（ステップＦＳ２２２）。そして、制御部４１は、稼動中に対応するタグＩＤがあったならば（ステップＦＳ２２２で「Ｙｅｓ」）、このタグＩＤを含む電源ライン１３の遮断要求をリーダライター３から送信し、記憶装置４２内のデータテーブルＤ２におけるタグＩＤに対応する稼動状態を稼動中から停止中に書き換え（ステップＦＳ２２３）、ステップＦＳ２２２に戻る。
【００７６】
全ての電源管理通信装置２のＲＦＩＤタグ１６は、このタグＩＤを含む電源ライン１３の遮断要求を受信し、この遮断要求を制御部２３に入力する。制御部２３は、この遮断要求と共に受信したタグＩＤを自己の情報記録部２３ａ内のデータテーブルＤ１のタグＩＤと比較し、両者が一致するか否かを判定し、両者が一致しなければ、この遮断要求に応答せず、また両者が一致すれば、この遮断要求に応答して、電源ライン１３のスイッチ１４を切り換えてオフにし、電源ライン１３を遮断する。これにより、電力がＲＦＩＤタグ１６及び管理対象装置１に供給されなくなり、ＲＦＩＤタグ１６及び管理対象装置１が停止中となる。
【００７７】
以降同様に、記憶装置４２内のデータテーブルＤ２を参照して、稼動中に対応するタグＩＤがあれば、このタグＩＤを含む電源ライン１３の遮断要求がリーダライター３から送信されて、このタグＩＤのＲＦＩＤタグ１６及び管理対象装置１が停止中にされ、記憶装置４２内のデータテーブルＤ２におけるタグＩＤに対応する稼動状態が稼動中から停止中に書き換えられる。これにより、稼動中の全ての管理対象装置１が停止される。
【００７８】
次に、図１７のフローチャートを参照しつつ、緊急時に管理対象装置１が停止された後に、管理対象装置１の稼動を可能にするためのハンディ型の復旧用無線通信装置５の動作手順を説明する。
【００７９】
まず、電源管理通信装置２の電源ライン１３が遮断されて、ＲＦＩＤタグ１６に電力が供給されていない状態では、ＲＦＩＤタグ１６がパッシブ型として動作していることから、ＲＦＩＤタグ１６の応答を受信するために復旧用無線通信装置５を電源管理通信装置２に近づける必要がある。この状態で、復旧用無線通信装置５の入力装置６５が操作されると、この操作に応答して制御部６１は、タグＩＤの問い合わせ要求をリーダライター６６から送信させる（ステップＦＳ３０１）。
【００８０】
電源管理通信装置２のＲＦＩＤタグ１６は、パッシブ型として動作していることから、アンテナ２１の受信入力に基づく電力で動作しつつ、リーダライター６６からのタグＩＤの問い合わせ要求を送受信部２２で受信し、この問い合わせ要求を制御部２３に入力し、制御部２３の制御により情報記憶部２３ａ内のデータテーブルＤ２のタグＩＤを送信する。
【００８１】
復旧用無線通信装置５では、ＲＦＩＤタグ１６からのタグＩＤをリーダライター６６で受信して制御部６１に入力する（ステップＦＳ３０２で「Ｙｅｓ」）。これに応答して制御部６１は、電源ライン１３の復旧要求をリーダライター６６から送信させる（ステップＦＳ３０３）。
【００８２】
電源管理通信装置２のＲＦＩＤタグ１６は、リーダライター６６からの電源ライン１３の復旧要求を送受信部２２で受信し、この復旧要求を制御部２３に入力する。この復旧要求に応答して制御部２３は、電源ライン１３のスイッチ１４をオンにして、電源ライン１３を導通させる。これにより、ＲＦＩＤタグ１６がアクティブ型として動作し、管理対象装置１の稼動が可能となる。また、制御部２３は、電源ライン１３の復旧の完了を送受信部２２から送信させる。
【００８３】
復旧用無線通信装置５では、ＲＦＩＤタグ１６からの復旧の完了をリーダライター６６で受信して制御部６１に入力する。これに応答して制御部６１は、ＲＦＩＤタグ１６のタグＩＤ及び稼動中を対応付けて記憶装置６２に記憶する（ステップＦＳ３０４）。
【００８４】
このように復旧用無線通信装置５が電源管理通信装置２に近づけられた状態で、電源ライン１３の復旧要求が復旧用無線通信装置５から電源管理通信装置２のＲＦＩＤタグ１６に送信され、この電源管理通信装置２の電源ライン１３が復旧して、ＲＦＩＤタグ１６がアクティブ型として動作し、管理対象装置１の稼動が可能となる。
【００８５】
次に、図１８のフローチャートを参照しつつ、電気製品管理サーバ４及び復旧用無線通信装置５に対する電源管理通信装置２のＲＦＩＤタグ１６の応答動作手順を説明する。
【００８６】
まず、電源管理通信装置２のＲＦＩＤタグ１６は、アクティブ型及びパッシブ型のいずれで動作していても、電気製品管理サーバ４又は復旧用無線通信装置５からのタグＩＤの問い合わせ要求を待機している（ステップＦＳ４０１）。
【００８７】
電源管理通信装置２のＲＦＩＤタグ１６は、タグＩＤの問い合わせ要求を送受信部２２で受信すると（ステップＦＳ４０１で「Ｙｅｓ」）、この問い合わせ要求を制御部２３に入力し、制御部２３の制御により情報記憶部２３ａ内のデータテーブルＤ２のタグＩＤを送信する（ステップＴＳ４０２）。
【００８８】
引き続いて、電源管理通信装置２のＲＦＩＤタグ１６は、電気製品管理サーバ４からの電源ライン１３の遮断要求の受信又は復旧用無線通信装置５からの電源ライン１３の復旧要求の受信を待機し（ステップＦＳ４０３、４０５）、電気製品管理サーバ４からの電源ライン１３の遮断要求を受信すると（ステップＦＳ４０３で「Ｙｅｓ」）、この電源ライン１３の遮断要求を制御部２３に入力し、制御部２３の制御により電源ライン１３のスイッチ１４をオフに切り換えて、電源ライン１３を遮断する（ステップＦＳ４０４）。これにより、ＲＦＩＤタグ１６がパッシブ型として動作し、管理対象装置１が停止中となる。
【００８９】
また、電源管理通信装置２のＲＦＩＤタグ１６は、復旧用無線通信装置５からの電源ライン１３の復旧要求を受信すると（ステップＦＳ４０５で「Ｙｅｓ」）、この電源ライン１３の復旧要求を制御部２３に入力し、制御部２３の制御により電源ライン１３のスイッチ１４をオンに切り換えて、電源ライン１３を導通させる（ステップＦＳ４０６）。これにより、ＲＦＩＤタグ１６がアクティブ型として動作し、管理対象装置１の稼動が可能となる。また、制御部２３は、電源ライン１３の復旧の完了を送受信部２２から送信させる。
【００９０】
このように電源管理通信装置２のＲＦＩＤタグ１６は、アクティブ型及びパッシブ型のいずれで動作していても、一連の動作手順を実行して、電気製品管理サーバ４又は復旧用無線通信装置５からのタグＩＤの問い合わせ要求に応答してタグＩＤを送信したり、電気製品管理サーバ４からの電源ライン１３の遮断要求に応答して電源ライン１３を遮断したり、復旧用無線通信装置５からの電源ライン１３の復旧要求に応答して電源ライン１３を復旧させる。
【００９１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【図面の簡単な説明】
【００９２】
【図１】本発明の通信システムの一実施形態を示すブロック図である。
【図２】図１の通信システムにおける電源管理通信装置の電力供給オンオフ検出部の構成を示すブロック図である。
【図３】図１の通信システムにおける電源管理通信装置のＲＦＩＤタグの回路構成を示すブロック図である。
【図４】（ａ）、(ｂ)、（ｃ）は、図１の通信システムにおける電源管理通信装置のデータテーブルを示す図である。
【図５】図１の通信システムにおける電気製品管理サーバのデータテーブルを示す図である。
【図６】電源管理通信装置のＲＦＩＤタグがパッシブ型として動作しているときのスイッチの切り換え状態を示す図である。
【図７】電源管理通信装置のＲＦＩＤタグがパッシブ型として動作しているときの電気製品管理サーバ、電源管理通信装置、及び管理対象装置の動作を示すタイミングチャートである。
【図８】電源管理通信装置のＲＦＩＤタグがアクティブ型として動作しているときのスイッチの切り換え状態を示す図である。
【図９】電源管理通信装置のＲＦＩＤタグがアクティブ型として動作しているときの電気製品管理サーバ、電源管理通信装置、及び管理対象装置の動作を示すタイミングチャートである。
【図１０】緊急時の電気製品管理サーバ、電源管理通信装置、及び管理対象装置の動作を示すタイミングチャートである。
【図１１】緊急時に停止されたときのスイッチの切り換え状態を示す図である。
【図１２】緊急後になされる電気製品管理サーバ、電源管理通信装置、及び管理対象装置の動作を示すタイミングチャートである。
【図１３】緊急後に復旧されたスイッチの切り換え状態を示す図である。
【図１４】複数の管理対象装置の稼動状態を確認するための電気製品管理サーバの動作手順を示すフローチャートである。
【図１５】複数の管理対象装置の稼動状態を確認するための電気製品管理サーバの他の動作手順を示すフローチャートである。
【図１６】緊急時に電源ラインの遮断要求をＲＦＩＤタグに送信するための電気製品管理サーバの動作手順を示すフローチャートである。
【図１７】緊急時に停止された管理対象装置の稼動を可能にするためのハンディ型の復旧用無線通信装置の動作手順を示すフローチャートである。
【図１８】電気製品管理サーバ及び復旧用無線通信装置に対する電源管理通信装置のＲＦＩＤタグの応答動作手順を示すフローチャートである。
【符号の説明】
【００９３】
１  管理対処装置
２  電源管理通信装置
３  リーダライター
４  電気製品管理サーバ
５  復旧用無線通信装置
６  電源コンセント
１１  プラグ
１２  コンセント
１３  電源ライン
１４  スイッチ
１５  電力供給オンオフ検出部
１６  ＲＦＩＤタグ
１７  常開スイッチ
【図１】
2009302956.tif 000003
【図２】
2009302956.tif 000004
【図３】
2009302956.tif 000005
【図４】
2009302956.tif 000006
【図５】
2009302956.tif 000007
【図６】
2009302956.tif 000008
【図７】
2009302956.tif 000009
【図８】
2009302956.tif 000010
【図９】
2009302956.tif 000011
【図１０】
2009302956.tif 000012
【図１１】
2009302956.tif 000013
【図１２】
2009302956.tif 000014
【図１３】
2009302956.tif 000015
【図１４】
2009302956.tif 000016
【図１５】
2009302956.tif 000017
【図１６】
2009302956.tif 000018
【図１７】
2009302956.tif 000019
【図１８】
2009302956.tif 000020